(57)【要約】【課題】下腿部を確実に包み込むことで、下腿部の保温性を確保しつつ、下腹部から大腿部付近までを覆う上部領域のずれ落ちを抑制すること。【解決手段】略長方形状をなす本体シート１２と、この本体シート１２の上端縁１３側に連設され、折り畳まれた本体シート１２を内部に収容可能な収容袋１５とを備えて膝掛け１０が構成されている。本体シート１２は、大腿部付近を覆う上部領域１９と、下腿部付近を覆う下部領域２０と、これら上部領域１９及び下部領域２０の境界付近に形成された切り込み部２２とを備えている。下部領域２０には、左右両端縁２３，２４側同士を係止可能な係止手段２６が設けられている。このような構成により、下部領域２０のみで下腿部を筒状に包み込んだ状態を維持でき、当該下部領域２０の包み込み状態に伴う上部領域１９の変位を切り込み部２２で規制し、上部領域１９のずれ落ちを防止可能となる。【選択図】          図１
2005023433.tif 000002
【特許請求の範囲】
【請求項１】
下腹部、大腿部及び下腿部を被覆可能な本体シートを備えた膝掛けにおいて、
前記本体シートは、前記下腹部から大腿部付近までを覆う上部領域と、前記下腿部付近を覆う下部領域とを備え、
前記下部領域は、その左右両端縁側同士を係止可能な係止手段を備え、当該係止手段により、前記下腿部を筒状に包み込んだ状態を維持可能とするように設けられ、
前記上部領域及び下部領域の境界付近には、その端縁から内側に切り込まれた切り込み部が形成されていることを特徴とする膝掛け。
【請求項２】
前記本体シートは、略方形状をなし、前記切り込み部には、その拡開を規制する拡開規制手段が設けられていることを特徴とする請求項１記載の膝掛け。
【請求項３】
前記本体シートには、使用者が着座する椅子の所定部位に引っ掛け可能な引掛手段が設けられていることを特徴とする請求項１又は２記載の膝掛け。
【請求項４】
折り畳まれた前記本体シートを内部に収容可能な収容袋を更に備え、
前記収容袋は、前記本体シートの上端側で折り曲げ自在に連設され、前記本体シートの使用時に、当該本体シートの表面側に重ね合わせ可能としたことを特徴とする請求項１、２又は３記載の膝掛け。
【請求項５】
前記収容袋にポケットが形成され、このポケットは、前記本体シートの使用時に、使用者の手を収容可能に設けられる一方、前記本体シートの収容時に、上向きに開放可能に設けられていることを特徴とする請求項４記載の膝掛け。
【発明の詳細な説明】
【０００１】
【発明の属する技術分野】
本発明は膝掛けに係り、更に詳しくは、下腿部を筒状に包み込んだ状態を維持可能な膝掛けに関する。
【０００２】
【従来の技術】
略方形状をなす布製の膝掛けが知られている。この膝掛けは、車椅子若しくはオフィス等の椅子に着座している使用者の保温等の目的で使用され、具体的には、上部領域を大腿部の上に載せ、下部領域を下腿部の前方及び側方に垂らした状態で使用される。このため、前記膝掛けでは、下腿部を後方から覆うことができず、当該下腿部の保温性を十分に確保することができない。このことは、車椅子で室外を移動するような場合に、大きな問題となる。
【０００３】
ところで、後記特許文献１には、携帯用の膝掛けが開示されている。この膝掛けは、略方形状をなすシート状の布地と、この布地の裏面の中央寄りに設けられるとともに、折り畳まれた布地を内部に収容可能な収納袋とを備えている。前記布地の下部の左右両端縁側には、面ファスナーからなる裾止部が設けられており、前記下部で着座状態の使用者の下腿部を筒状に包み込み、その状態を維持できるようになっている。なお、膝掛けの使用時には、前記収納袋が布地の内側に存在するようになっている。
【０００４】
【特許文献１】
特開２００２−２１２８１６号公報
【０００５】
【発明が解決しようとする課題】
しかしながら、前記特許文献１の膝掛けにあっては、大腿部を覆う上部側が正規の状態からずれ落ち易くなるという不都合がある。すなわち、前記下部で下腿部を筒状に包み込むと、それに伴って、大腿部を覆う上部側も筒状になるように変位するが、当該変位が椅子の座部等の存在により規制される。その結果、上部の左右両端縁側が下方に引っ張られ、身体の動き等が発生すると、上部が正規の位置から容易にずれ落ち易くなる。このような不都合は、車椅子での使用等、移動を伴うような場合に一層顕著となる。また、前記特許文献１の膝掛けにあっては、使用時に、収納袋が前記布地の内側に位置することになり、収納袋が大腿部に接触することで、使用者が違和感や不快感を得るという不都合もある。
【０００６】
【発明の目的】
本発明は、このような不都合に着目して案出されたものであり、その主目的は、下腿部を確実に包み込むことで、下腿部の保温性を確保しつつ、下腹部から大腿部付近までを覆う上部領域のずれ落ちを抑制することができる膝掛けを提供することにある。
【０００７】
また、本発明の目的は、本体シートを収容する収容袋の存在による使用時の違和感や不快感を軽減することができる膝掛けを提供することにある。
【０００８】
【課題を解決するための手段】
前記目的を達成するため、本発明は、下腹部、大腿部及び下腿部を被覆可能な本体シートを備えた膝掛けにおいて、
前記本体シートは、前記下腹部から大腿部付近までを覆う上部領域と、前記下腿部付近を覆う下部領域とを備え、
前記下部領域は、その左右両端縁側同士を係止可能な係止手段を備え、当該係止手段により、前記下腿部を筒状に包み込んだ状態を維持可能とするように設けられ、
前記上部領域及び下部領域の境界付近には、その端縁から内側に切り込まれた切り込み部が形成される、という構成を採っている。このような構成によれば、切り込み部の存在によって、上部領域及び下部領域の各端縁側を所定範囲で相対変位させることができる。このため、下部領域で下腿部を筒状に包み込んだときでも、当該包み込み前と上部領域の状態が殆ど変わらず、当該上部領域の正規位置からのずれ落ちを抑制することができる。換言すれば、下部領域で下腿部をしっかりと筒状に包み込んだときでも、上部領域のずれ落ちを抑制可能となることから、下腿部を確実に包み込んだ状態での使用が可能となり、下腿部の保温性を十分に確保することができる。また、これによれば、上部領域による下腹部から大腿部付近までの保温性も確保することもできる。
【０００９】
本発明における本体シートは、略方形状をなし、前記切り込み部には、その拡開を規制する拡開規制手段が設けられる、という構成を採ることが好ましい。このように構成することで、切り込みのない略方形状のシートとしての使用が可能となり、従来の膝掛けのような使用態様を含め、種々の使用態様を選択することができ、より汎用的となる。
【００１０】
また、前記本体シートには、使用者が着座する椅子の所定部位に引っ掛け可能な引掛手段が設けられる、という構成も併用することができる。これにより、使用時における本体シートのずれ落ちを一層効果的に規制することができる。
【００１１】
更に、折り畳まれた前記本体シートを内部に収容可能な収容袋を更に備え、
前記収容袋は、前記本体シートの上端側で折り曲げ自在に連設され、前記本体シートの使用時に、当該本体シートの表面側に重ね合わせ可能にするとよい。このような構成によれば、本体シートの使用時には、当該本体シートの表面側に収容袋が重ね合わされることで、収容袋が直接大腿部に接触することを回避でき、収容袋の存在による使用時の違和感や不快感を軽減することができる。また、本体シートの使用時に収容袋が表出することで、当該収容袋自体を薬剤等の収納などに利用できる他、その収納対象物の出し入れを難なく行うことができる。
【００１２】
また、前記収容袋にポケットが形成され、このポケットは、前記本体シートの使用時に、使用者の手を収容可能に設けられる一方、前記本体シートの収容時に、上向きに開放可能に設けられる、という構成を採用することが好ましい。このように構成することで、本体シートの使用時には、ポケットを手袋として利用できる一方、本体シートの収容時には、ポケットの内部に小物等を収納させることができる。このため、本体シートの使用時及び収容時で、ポケットを汎用的に有効活用することができる。
【００１３】
なお、本明細書における膝掛けの位置若しくは方向を表す用語のうち、「上」、「下」、「左」、「右」とは、特に明記しない限り、図１の膝掛けを正面側から見たときの上、下、左、右を意味する。
【００１４】
また、特に明記しない限り、「表面」とは、本体シートの使用時に表出する面を意味し、「裏面」とは、前記使用時に、使用者の大腿部側若しくは下腿部側に相対して表出しない面を意味する。
【００１５】
更に、本明細書において、「大腿部」とは、人体の脚部のうち、腰部付近から膝部付近までの間の部位を意味し、「下腿部」とは、人体の脚部のうち、膝部付近から足首付近までの間の部位を意味する。また、「下腹部」とは、前記大腿部の直上から腹部の直下までの間の部位を意味する。
【００１６】
【発明の実施の形態】
以下、本発明の実施の形態について図面を参照しながら説明する。
【００１７】
図１には、本実施形態に係る膝掛けの概略正面図が示され、図２には、前記膝掛けの概略背面図が示されている。また、図３には、前記膝掛けの使用状態を示す概略斜視図が示されている。これらの図において、膝掛け１０は、車椅子Ｃ（図３参照）に着座している使用者Ｍの下腹部、大腿部及び下腿部に被せる布状体であって、略長方形状をなす本体シート１２と、この本体シート１２の上端縁１３側に連設され、折り畳まれた本体シート１２を内部に収容可能な収容袋１５と、この収容袋１５の連設部位の近傍に取り付けられ、車椅子Ｃの所定部位Ｃ１に引っ掛け可能な引掛手段１７とを備えて構成されている。
【００１８】
前記本体シート１２は、下腹部から大腿部付近までを覆う上部領域１９と、下腿部付近を覆う下部領域２０と、これら上部領域１９及び下部領域２０の境界付近に形成された切り込み部２２とを備えている。
【００１９】
前記下部領域２０の左右両端縁２３，２４側には、当該両端縁２３，２４側同士を係止する係止手段２６が設けられている。この係止手段２６は、公知の面ファスナーにより構成され、下部領域２０の何れか一方の面に、フック状の突起が形成されたフック片２８が取り付けられている一方、下部領域２０の何れか他方の面に、閉ループ状の突起が形成されたループ片２９が取り付けられている。なお、特に限定されるものではないが、本実施形態では、フック片２８が、左端縁２３寄りの位置で裏面１２Ｂ側に固定されている一方、ループ片２９が、右端縁２４寄りの位置で表面１２Ａ側に固定されている。また、ループ片２９の左右幅は、フック片２８の左右幅よりも長く設定されており、フック片２８及びループ片２９の係合位置を任意に変えることが可能となっている。このため、当該係合位置を変えることにより、両端縁２３，２４側が係止された状態の下部領域２０の全周の長さを調整することができる。
【００２０】
前記切り込み部２２は、左右両端縁２３，２４から内側に向かって切り込まれており、その拡開を規制する拡開規制手段としてのファスナー３１が取り付けられている。つまり、このファスナー３１を開けると、切り込み部２２の拡開が許容され、上部領域１９及び下部領域２０の左右両端縁２３，２４側が所定範囲で相対変位可能になる一方、ファスナー３１を閉じると、切り込み部２２の拡開が規制され、当該切り込み部２２が存在しないときと同様に、上部領域１９及び下部領域２０の左右両端縁２３，２４側が一体化された状態となる。
【００２１】
前記収容袋１５は、平面視で略長方形状をなし、図１中手前側（図２中奥行側）に位置する第１の面３３と、当該第１の面３３に相対して図１中奥行側（図２中手前側）に位置する第２の面３４とからなる。これら第１及び第２の面３３，３４は、図１中下端側を除く三辺の端縁側で縫い合わされ、下端側の端縁３５側が開放するようになっている。前記第１の面３３は、その端縁３５側が、表面１２Ａの上端縁１３側に相対回転自在に取り付けられており、これによって、当該上端縁１３側で収容袋１５が折り曲げ自在に連設される。すなわち、収容袋１５は、図１の状態から端縁３５側を中心にして同図中手前側に折り返すことで、表面１２Ａ側に重ね合わせ可能となっている。なお、第２の面３４の端縁３５側（図１中下端側）は、本体シート１２に取り付けられておらず、これによって、図２に示されるように、同図中下端側に開放部３６が形成されることになる。また、第１の面３３の図１中裏側には、同図中下方となる本体シート１２方向に開口するポケット３８（図２参照）が形成されている。このポケット３８は、左右方向二箇所に形成されており、それぞれ一方の手を収容可能なサイズに設けられている。なお、ポケット３８は、左右方向一箇所に形成し、両方の手を収容可能なサイズとしてもよい。第２の面３４の開放部３６側には、左右方向略中央位置にホック４２が設けられている。このホック４２は、図２の状態で表出しており、後述するように、本体シート１２が収容袋１５内に収容されたときに、裏面１２Ｂの上端縁１３側の左右方向略中央位置に固定されたホック４３に係合可能となっている。これらホック４２，４３を係合すると、開放部３６を部分的に閉塞することができる。なお、収容袋１５のサイズは、特に限定されるものではないが、本体シート１２の左右幅の約半分程度の左右幅に設定され、本体シート１２の上下幅の約半分程度の上下幅に設定されている。
【００２２】
前記引掛手段１７は、前記開放部３６側の左右両端側から外方に延びる一対の帯状体からなり、その先端側には、裏面１２Ｂの上端縁１３側二箇所に固定されたホック４４と係合可能となるホック４５が設けられている。
【００２３】
以上のように構成された膝掛け１０は、図３に示されるように、主として、車椅子Ｃに着座している使用者Ｍの下腹部、大腿部及び下腿部に被せられる。すなわち、先ず、使用者Ｍの大腿部上に上部領域１９が被さるように、膝掛け１０を大腿部に載せる。この際、前記ファスナー３１は開放され、切り込み部２２の存在により、上部領域１９及び下部領域２０の左右両端縁２３，２４側が相対変位可能になっている。その状態で、下部領域２０の左右両端縁２３，２４側を下腿部の後側に回し、当該左右両端縁２３，２４側を係止手段２６（図１等参照）により係止することで、下部領域２０のみで下腿部を筒状に包み込んだ状態が維持される。このとき、ファスナー３１が開放状態となっているため、下部領域２０の左右両端縁２３，２４側は、上部領域１９に対して独立して変位することができ、下部領域２０の係止作業をスムーズ且つ確実に行うことができるばかりか、下部領域２０の係止に伴う上部領域１９の左右両端縁２３，２４側の変位が規制され、当該変位による上部領域１９のずれ落ちを防止することができる。また、引掛手段１７は、車椅子Ｃの所定部位Ｃ１、例えば、肘掛や移動用の取っ手等の部位に巻き付けた後で、ホック４４，４５（図２参照）を係合することで、前記所定部位Ｃ１に閉ループ状に引っ掛けられ、これによっても、本体シート１２のずれ落ちを防止できる。
【００２４】
また、前述の使用時には、収容袋１５が表面１２Ａ側に重ね合わせるように配置され、本体シート１２内に収容袋１５が存在することによる違和感や不快感を軽減することが可能となる。この際、ポケット３８は、収容袋１５の内側に位置し、且つ、使用者Ｍ側に開放することになる。従って、使用時においては、開放部３６から手を収容袋１５の中に入れ、当該収容袋１５の内側にあるポケット３８内に手を収容させることで、当該ポケット３８を手袋として利用可能になる。このような使用態様では、腕の下部領域から手までの間の部位が収容袋１５内に入れられることになり、当該部位の保温効果を高めることができる。
【００２５】
なお、ファスナー３１を閉塞した状態での使用も可能であり、この場合は、切り込み部２２の開放が規制されることで、切り込み部２２のない略長方形状の一枚布と同様に本体シート１２を利用することができ、椅子に座ったり離れたりするようなオフィスでの使用等のように、下腿部をその都度包み込まず、大腿部や下腿部を簡単に覆うような使用態様等、種々の使用態様に適用可能となる。
【００２６】
膝掛け１０を使用しない時には、本体シート１２を折り畳んで収容袋１５内に収容しておくことができる。すなわち、図２に示されるように、裏面１２Ｂ側を表向きとし、収容袋１５を本体シート１２の外の領域に置いた状態から、当該本体シート１２の左右両側を内側に折り畳む（図４，図５参照）。このとき、図５に示されるように、係止手段２６を使って下部領域２０の左右両端縁２３，２４側を係止する。その状態から、本体シート１２の上下方向略中央を境に、当該本体シートを上下方向内側に折り、当該本体シート１２の平面サイズを収容袋１５の平面サイズと略同一にする（図６参照）。そして、収容袋１５の表裏を引っ繰り返しながら、当該収容袋１５内に、折り畳まれた本体シート１２を収容する（図７参照）。この収容状態では、前記ホック４２，４３が対向する位置関係にあり、本体シート１２を適宜捲りながらホック４２，４３を係合することで、収容袋１５の開放部３６が部分的に閉塞される。また、この収容時において、ポケット３８は、図７中上向きに開放することになり、且つ、収容袋の外側から所定の収容対象物を出し入れ可能となる。更に、このとき、引掛手段１７は、収容袋１５の外側に表出し、このような収容時でも、前述した使用時と同様に、本体シート１２が収容された収容袋１５毎、前記所定部位Ｃ１に引っ掛け可能となる。
【００２７】
従って、このような実施形態によれば、車椅子Ｃに着座した状態の使用者Ｍの下腿部を確実に包み込むことができ、しかも、上部領域１９のずれ落ちを規制可能になるという効果を得る。
【００２８】
なお、前記実施形態では、車椅子Ｃに着座した使用者Ｍに対する使用態様を主として説明したが、前述したように、使用者Ｍがオフィスや家庭及び競技場等の椅子に着座するときや、ベビーカーに乗った乳幼児に対しても、サイズ等を変えることで使用可能となる。
【００２９】
また、前記実施形態では、収容袋１５が本体シート１２に一体化されているが、本発明はこれに限らず、収容袋１５を本体シート１２側から分離して、トートバックのようにしてもよい。
【００３０】
更に、前記面ファスナー２６、ファスナー３１、ホック４２〜４５類は、実質的に同様の作用を奏する限りにおいて、他のファスナー、ホック、ボタン等に代替することもできる。
【００３１】
【発明の効果】
以上説明したように、本発明によれば、前記上部領域及び下部領域の境界付近に形成された切り込み部の存在によって、下腿部を確実に包み込んで下腿部の保温性を確保することができるとともに、下腹部から大腿部付近までを覆う上部領域の正規位置からのずれ落ちを抑制することができる。
【００３２】
また、前記本体シートの上端側で前記収容袋を折り曲げ自在に連設し、前記本体シートの使用時に、当該本体シートの表面側に重ね合わせ可能としたから、前記使用時に、収容袋が大腿部に接触すること等による違和感や不快感を軽減することができる。
【図面の簡単な説明】
【図１】本実施形態に係る膝掛けの概略正面図。
【図２】前記膝掛けの概略背面図。
【図３】前記膝掛けの一使用態様を示す概略斜視図。
【図４】本体シートを収容袋に収容する際の第１手順を説明するための概略図。
【図５】本体シートを収容袋に収容する際の第２手順を説明するための概略図。
【図６】本体シートを収容袋に収容する際の第３手順を説明するための概略図。
【図７】本体シートを収容袋に収容する際の第４手順を説明するための概略図。
【符号の説明】
１０  膝掛け
１２  本体シート
１２Ａ  表面
１３  上端縁
１５  収容袋
１７  引掛手段
１９  上部領域
２０  下部領域
２２  切り込み部
２３  左端縁
２４  右端縁
２６  係止手段
３１  ファスナー（拡開規制手段）
３８  ポケット
Ｃ  車椅子
Ｃ１  所定部位
Ｍ  使用者
【図１】
2005023433.tif 000003
【図２】
2005023433.tif 000004
【図３】
2005023433.tif 000005
【図４】
2005023433.tif 000006
【図５】
2005023433.tif 000007
【図６】
2005023433.tif 000008
【図７】
2005023433.tif 000009